(57)【要約】【課題】ケーブルドラムを移動しケーブル架設する一連の作業を、少人数でも効率的に実施可能とするためのドラム運搬具を安価に供給することにある。【解決手段】ケーブルＣを巻回した筒状の胴体および、この筒状の胴体の軸線方向両端部に設けた円板状の鍔体からなるケーブルドラム２を回転可能に支持するためのドラム支持部材３と、ケーブルドラム２をドラム支持部材３に支持した状態で運搬可能とするためのフレーム４と、を具えるドラム運搬具１において、ドラム支持部材３は、ケーブルドラム２の前記鍔体の中心穴からそのケーブルドラム２の中心部を通して挿通可能であり、フレーム４は、ドラム支持部材３を支持する支持部材キャリア５と、支持部材キャリアを立設した基台６と、その基台に設けた、少なくとも１個が首振り自在な少なくとも３個のキャスター９とを有して、ドラム支持部材３が支持した前記ケーブルドラム２が支持面Ｓから離間する高さにドラム支持部材３を支持する。【選択図】図１
0003143128.tif 000002
【実用新案登録請求の範囲】
【請求項１】
ケーブル（Ｃ）を巻回した筒状の胴体（２ａ）および、この胴体の軸線方向両端部に設けた円板状の鍔体（２ｂ）からなるケーブルドラム（２）を回転可能に支持するためのドラム支持部材（３）と、
前記ケーブルドラム（２）を前記ドラム支持部材（３）に支持した状態で運搬可能とするためのフレーム（４）と、を具えるドラム運搬具（１）において、
前記ドラム支持部材（３）は、前記ケーブルドラム（２）の前記鍔体（２ｂ）の中心穴から前記胴体（２ａ）の中心穴を通して挿通可能であり、
前記フレーム（４）は、前記ドラム支持部材（３）を支持する支持部材キャリア（５）と、前記支持部材キャリアを立設した基台（６）と、その基台に設けた、少なくとも１個が首振り自在な少なくとも３個のキャスター（９）とを有して、前記ドラム支持部材（３）が支持した前記ケーブルドラム（２）が支持面（Ｓ）から離間する高さに前記ドラム支持部材（３）を支持することを特徴とするドラム運搬具。
【請求項２】
前記フレーム（４）の左右に、前記ケーブルドラム（２）の横ずれを規制するための横ずれ防止ローラ（１７）を、少なくとも１個ずつ互いに対向する向きで設けた請求項１に記載のドラム運搬具。
【請求項３】
前記支持部材キャリア（５）を、前記基台（６）から垂直方向に互いに対向するように２本設け、また、前記支持部材キャリア（５）に、高さ調整手段（１１）を設け、この高さ調整手段によって、前記支持部材キャリア（５）にドラム支持部材（３）を支持する支持位置を調整可能とした、請求項１または２に記載のドラム運搬具。
【請求項４】
前記高さ調整手段（１１）を、前記支持部材キャリア（５）を脱着可能に把持する第１把持部材（１１ａ）および、これに連結した、ドラム支持部材（３）を脱着可能に把持する第２把持部材（１１ｂ）により構成した請求項３に記載のドラム運搬具。
【請求項５】
前記支持部材キャリア（５）に、その支持部材キャリア（５）の軸線に直交する方向に貫通するピンガイド（１３）を複数、前記支持部材キャリア（５）の軸線方向に間隔をあけて配置し、また、前記高さ調整手段に、前記ピンガイド（１３）によりガイド可能なピン（１５）を設けた請求項３または４に記載のドラム運搬具。
【請求項６】
前記支持部材キャリア（５）に、軸線方向に目盛（１９）を設けた、請求項３〜５のうちいずれか１項に記載のドラム運搬具。
【請求項７】
前記キャスター（９）のうち、少なくとも１個に、ストッパーを設けた請求項１〜６のうちいずれか１項に記載のドラム運搬具。
【考案の詳細な説明】
【技術分野】
【０００１】
この考案は、例えば電気工事や電話工事等に用いられるケーブルドラムを運搬するための簡易運搬具に関するものである。
【背景技術】
【０００２】
ケーブルドラムは、従来は使用場所まで運搬車両によって移動するか、もしくはそれ単体を転がして移動することが多い。市街地においてケーブル敷設作業を行うときは、道幅が狭いなどの理由から、運搬車両による運搬が不可能な場合がある。この場合には、ケーブルドラム自体を転がして設置場所まで運んでいるが、ケーブルドラム単体を転がすと、鍔体の延在方向に直進はするが、進行方向の変更は困難であり、進行方向の調整のために余分な人手が必要である。
【０００３】
進行方向の変更を容易にするための器具として、特許文献１はケーブルドラムを運搬するための、ケーブルドラム用運搬補助具を記載する。このケーブルドラム運搬補助具は、ケーブルドラムの一方の鍔体を乗上載置可能な載置部材に、各々接地輪を有する複数の車輪部材を配設し、これらの接地輪の回転軸線を、ケーブルドラムの両鍔体間の寸法に基づき接地輪から離間した旋回中心で互いに交差するように配置してなる。
【特許文献１】特開２００２−６７９６９号公報
【考案の開示】
【考案が解決しようとする課題】
【０００４】
しかしながら、上記のケーブルドラム用運搬補助具は、移動および運搬のためにケーブルドラムを旋回させようとするその都度、ケーブルドラムが通るべき道のり上に適切な位置に設置し、一度ケーブルドラムが通過した後には回収する必要がある。また、ケーブルドラムを目的地に運搬した後のケーブルの架設に際しては、ケーブルドラムを別途運搬具で運んだ繰出機に取り付けて路面等から離間させる必要がある。
【０００５】
そこで本考案は、本来人手がかかり作業工程の多い、ケーブルドラムを移動しケーブル架設する一連の作業を、少人数でも効率的に実施可能とするためのドラム運搬具を安価に供給することを目的とする。
【課題を解決するための手段】
【０００６】
本考案は、上記課題を有利に解決することを目的とするものであり、本考案のドラム運搬具は、ケーブルを巻回した筒状の胴体および、この胴体の軸線方向両端部に設けた円板状の鍔体からなるケーブルドラムを回転可能に支持するためのドラム支持部材と、ケーブルドラムをドラム支持部材に支持した状態で運搬可能とするためのフレームとを具え、ドラム支持部材は、ケーブルドラムの鍔体の中心穴からそのケーブルドラムの中心穴を通して挿通可能であり、フレームは、ドラム支持部材を支持する支持部材キャリア、支持部材キャリアを立設した基台、およびこの基台に設けた、少なくとも１個が首振り自在な少なくとも３個のキャスターとを有して、ドラム支持部材が支持したケーブルドラムが例えば地面、工場の床、工事現場の足場などの支持面から離間する高さに、ドラム支持部材を支持することを特徴とする。
【考案の効果】
【０００７】
かかるこの考案のドラム運搬具によれば、ケーブルドラムをドラム支持部材を介して支持するためのフレームに、少なくとも１個が首振り自在な少なくとも３個のキャスターを設けたため、重量物たるケーブルドラムを簡単に運搬可能であり、さらに、ドラム単体では困難である進行方向の変換も、作業者１名のみをもってしても容易に実施可能である。また、ドラム支持部材をケーブルドラムの鍔体の中心穴からそのケーブルドラムの中心部を通して挿通し、これを支持部材キャリアに支持させることで、ケーブルは何時でも繰出し可能となるため、繰出し作業を行うために別途繰出し機にケーブルドラムを取り付ける必要がなくなる。
【０００８】
したがって、この考案のドラム運搬具によれば、車両の通れない狭い道であって、カーブやクランクがある道においても、ケーブルドラムを容易に人力で運搬可能であるため、進行方向変換に必要であった人員と時間を削減でき、さらに目的地まで運搬した後には、その状態のまますぐにケーブル繰出し作業を簡単に行うことができるので、繰出し機を別途運搬し、これに取り付けるために必要であった人員と時間を大幅に削減できる。
【０００９】
なお、本考案のドラム運搬具においては、フレームの左右に、ケーブルドラムの横ずれを規制するための横ずれ防止ローラを、少なくとも１個ずつ互いに対向する方向に設けると好適である。この構成により、傾斜地などにおいてドラムからケーブルを繰出す際に、ドラムがどちらか一方に寄っても、横ずれ防止ローラがその回転を受けるため、ドラムがフレームに当たって回転しなくなり作業が滞ることを防ぐことができる。
【００１０】
また、本考案のドラム運搬具においては、支持部材キャリアを、基台から垂直方向に互いに対向するように２本設け、また、支持部材キャリアに、高さ調整手段を設け、この高さ調整によって、支持部材キャリアにドラム支持部材を支持する支持位置を調整可能とすると好適である。この構成により、様々な径のドラムを本考案ドラム運搬具に搭載可能となる。
【００１１】
さらに本考案のドラム運搬具においては、高さ調整手段を、支持部材キャリアを脱着可能に把持する第１把持部材、およびこれに溶接などで連結した、ドラム支持部材を脱着可能に把持する第２把持部材により構成すると好適である。この構成により、構造的に簡単な方法で、ドラムを運搬具に搭載および固定することができる。
【００１２】
さらに、本考案のドラム運搬具においては、支持部材キャリアに、その軸線に直行する方向に貫通するピンガイドを複数、支持部材キャリアの軸線方向に間隔をあけて配置し、また、高さ調整手段に、このピンガイドによりガイド可能なピンを設けると好適である。こうすることで、重量物たるケーブルドラムが重力方向にずれるのを防止できる。
【００１３】
さらに、本考案のドラム運搬具によれば、支持部材キャリアに、軸線方向に目盛を設けると好適である。こうすることで、簡単な方法で、ケーブルドラムの支持位置を、ケーブルドラムの大きさに合わせて調整することができる。
【００１４】
そして、本考案のドラム運搬具においては、少なくとも１個のキャスターにストッパーを設けると好適である。こうすることで、坂道など、ドラム運搬具が移動する可能性のある場所や、トラックなどの運搬車両に積載する際にも安全に放置することができると同時に、運搬時にはブレーキとして作用し、ドラム運搬具の暴走を防ぐこともできる。
【考案を実施するための最良の形態】
【００１５】
以下、本考案の実施の形態を実施例によって、図面に基づき詳細に説明する。図１は、本考案の一実施例のドラム運搬具を示す正面図であり、この実施例のドラム運搬具１は、ケーブルCを巻回した筒状の胴体２ａおよびこの胴体２ａの軸線方向両端部に設けた円板状の鍔体２ｂからなるケーブルドラム２を支持するためのドラム支持部材３と、そのケーブルドラム２をドラム支持部材３に支持した状態で運搬可能にするためのフレーム４とを具えている。ドラム支持部材３は、例えば鉄パイプからなり、ケーブルドラム２の鍔体２ｂの中心穴から筒状の胴体２ａの中心穴を通してケーブルドラム２の軸線方向に挿通可能とされている。またフレーム４は、高さ調整手段としての後述の高さ調整部材１１を介してドラム支持部材３の両端部を支持する柱状の２本の支持部材キャリア５と、それらの支持部材キャリア５を互いに対向するように立設した矩形の枠状の基台６と、支持部材キャリア５と基台６とを連結して傾斜して延在する４本の補強部材７と、基台６の下側の四隅に設けられた４個のキャスター９とを有している。
【００１６】
ここで、支持部材キャリア５は、例えば鉄パイプからなり、また、基台６の、ドラム支持部材３と直角に延在する２辺は、例えば溝型鋼材からなり、さらに基台６の、ドラム支持部材３と平行に延在する２辺および、補強部材７は例えば山形鋼材からなり、これらの材料を互いにねじ止めするとともに、溝型鋼材の下端に溶接した鋼板にキャスター９をねじ止めすることによってフレーム４が組み立てられている。なお、４個のキャスター９のうち後述の図２では、左側の２個は基台６に対し向きが固定されるタイプのものであり、一方、図２では右側の２個は基台６に対し首振り可能となるタイプのもので、さらに足踏み式ペダルによって制動および解除ができる通常のブレーキ機構を備えている。このようなフレーム構造とすることで、軽量かつ組み立て簡単であり、安価な構造が実現される。また、このフレーム構造により、ケーブルドラム２よりケーブルを繰出す際に、ドラム運搬具１、特に支持部材キャリア５に生じる矢印Ｒ方向の負荷を補強部材７で受ける頑強な構造となる。
【００１７】
さらに、フレーム４の基台６には、左右方向に互いに対向する、ここではウレタン製の車からなる横ずれ防止ローラ１７を、左右二個ずつ固定して設けており、これらの横ずれ防止ローラ１７は、図示するように、ドラム支持部材３に支持されたケーブルドラム２の鍔体２ｂに当接してその横ずれを規制する。このため、傾斜地等で作業し、ケーブルドラム２が横ずれをしても、横ずれ防止ローラ１７がその回転を受けるので、ケーブルドラム２が回らなくなることなく作業ができる。
【００１８】
図２は、図１に記載したドラム運搬具１を示す側面図であり、図示のように、高さ調整部材１１は互いに連結した第1把持部材１１ａと第２把持部材１１ｂから成り、この高さ調整部材１１の第１把持部材１１ａにはドラム支持部材３を案内し、第２把持部材１１ｂには支持部材キャリア５を案内する。このとき、第１把持部材１１ａと第２把持部材１１ｂのそれぞれの軸線は直交する。この高さ調整部材１１は、ドラム支持部材３および支持部材キャリア５の双方に脱着可能でありながら、ねじ締めにより、双方を堅固に把持することもできるので、高さ調節が容易であり、様々な径のケーブルドラム２を搭載可能であるし、また、支持部材キャリア５に所定間隔で設けた穴であるピンガイド１３に差込んだ先端を折り曲げられるピン１５により、高さ調整部材１１が掛止されるので、ケーブルドラム２がずれ落ちる心配がなく、安全で確実な作業が望める。
【００１９】
ケーブルドラム２をこの実施例のドラム運搬具１に搭載する場合、まずドラム支持部材３を鍔体２ｂの中心穴からケーブルドラム２の筒状の胴体２ａ内に案内し、反対側の鍔体２ｂの中心穴から突出させた後、そのドラム支持部材３の両端部を２個の高さ調整部材１１の第２把持部材１１ｂにそれぞれ案内しねじ止めして固く把持し、それらの高さ調整部材１１の第１把持部材１１ａに双方の支持部材キャリア５を案内し、前もって適切な高さのピンガイド１３に差込んでおいたピン１５に、第1把持部材１１ａの下方の端部を当接させた状態でねじ止めする。この際、把持位置であるピン１５の差込位置は、ケーブルドラム２の鍔体２ｂの下側端部が横ずれ防止ローラ１７の下側端部よりも下に位置するとともに、地面や床面、路面等の支持面Ｓからは離間するように定めるが、支持部材キャリア５には、目盛１９をケーブルドラム２の径と対応させて設けているので、この位置決めは容易に遂行可能である。
【００２０】
図３は、本実施例のドラム運搬具１を、ケーブルドラム２を搭載した状態で、トラック等の運搬車両に積載する状況を示す説明図である。ケーブルドラム２をドラム運搬具１に搭載する際には、運搬車両に搭載されたクレーンＣＲ等を用いて先ずケーブルドラム２をドラム支持部材３と供にワイヤＷを掛けて吊り上げ、これを降ろしてドラム運搬具１にセットするが、セットが完了した時点で、再びクレーンで吊り上げると、ドラム運搬具１ごと吊り上げることができ、そのまま運搬車両に積載することができる。また、ドラム運搬具１は、ロープなどを用いて、簡単に運搬車両に固定することができる。したがって、運搬車両での運搬も容易にし得て、作業性を高めることができる。
【００２１】
以上、図示例に基づき説明したが、この考案は上述の例に限定されるものでなく、例え基台６は、板状の部材を用いても良いし、キャスター９は３個以上であれば何個設けても良い。また、横ずれ防止ローラ１７は、支持部材キャリア５に移動可能に取り付けても、補強部材７に取り付けても良い。こうすることで、ケーブルドラム２を装着する高さが限定されず、作業に都合の良い姿勢を得ることができる。
【産業上の利用可能性】
【００２２】
かくしてこの考案のドラム運搬具１によれば、ケーブルドラム２を回転可能に支持するための、ドラムの胴体を通して案内可能なドラム支持部材３と、ケーブルドラム２をドラム支持部材３に支持した状態で運搬可能とするための基台６、ドラム支持部材３を支持するための支持部材キャリア５、および基台６に少なくとも３個設けたキャスター９を有するフレーム４とを具えるため、車両進入が不可能な狭い道であって、カーブおよびクランクの多い道においても、簡単にケーブルドラム２を運搬することができ、目的地に到達した後にも、別途ケーブル繰出しのため繰出し機に取り付ける必要が無く、その状態のままケーブル繰出し作業に移行可能となるため、人員および作業時間の大幅な削減につながる。
【図面の簡単な説明】
【００２３】
【図１】本考案のドラム運搬具の一実施例を示す正面図である。
【図２】上記実施例のドラム運搬具を示す側面図である。
【図３】上記実施例のドラム運搬具を運搬車両に搭載する状況を示す説明図である。
【符号の説明】
【００２４】
１  ドラム運搬具
２  ケーブルドラム
２ａ  胴体
２ｂ  鍔体
３  ドラム支持部材
４  フレーム
５  支持部材キャリア
６  基台
７  補強部材
９  キャスター
１１  高さ調整部材
１１ａ  第１把持部材
１１ｂ  第２把持部材
１３  ピンガイド
１５  ピン
１７  横ずれ防止ローラ
１９  目盛
Ｃ  ケーブル
ＣＲ  クレーン
Ｒ  矢印
Ｓ  支持面
W  ワイヤ
【図１】
0003143128.tif 000003
【図２】
0003143128.tif 000004
【図３】
0003143128.tif 000005